(57)【特許請求の範囲】
【請求項１】
画像表示を行なう画素エリアを有する画像表示デバイスと、
複数の画像信号に対応し、それぞれ前記画素エリアの全領域を駆動する水平駆動部および垂直駆動部と、
前記複数の画像信号の各々に対応した色光を垂直方向の異なる帯幅で前記画素エリアに照射する照射手段と、
前記色光が照射される帯幅に応じて、前記色光の垂直駆動の開始タイミングを変更させるタイミング制御部を有することを特徴とする画像表示装置。
【請求項２】
請求項１記載の画像表示装置において、
さらに前記画像表示デバイスに前記色光の光強度情報を検出する検出部を有し、
前記タイミング制御部は前記検出部からの情報に応じて前記色光の垂直駆動を開始させることを特徴とする画像表示装置。
【請求項３】
請求項１記載の画像表示装置において、
各々の色光の照射時間の合計が垂直動作周期以下であることを特徴とする画像表示装置。
【請求項４】
画像表示を行なう画素エリアを有する画像表示デバイスと、
複数の色光を前記画素エリアに照射する照射手段であって、前記画素エリアの垂直方向の走査周期当りの一走査ラインに対する照射時間を可変とする照射手段と、
前記複数の色光に対応した画像信号各々について前記画素エリアの全領域を駆動する水平駆動部および垂直駆動部と、
前記照射手段の照射時間の変更に応じて前記垂直駆動部への各色光の垂直走査の開始信号の出力タイミングを変更するタイミング制御部を有することを特徴とする画像表示装置。
【請求項５】
請求項４記載の画像表示装置において、
さらに前記画像表示デバイスに前記色光の光強度情報を検出する検出部を有し、
前記タイミング制御部は前記検出部からの情報に応じて前記開始信号の出力タイミングを変更することを特徴とする画像表示装置。
【請求項６】
請求項１乃至５のいずれか１項に記載の画像表示装置において、
さらに照射される隣接する色光の間を黒表示させる走査線を指定するリセット走査部を有することを特徴とする画像表示装置。
【請求項７】
請求項６記載の画像表示装置において、
前記タイミング制御部は前記リセット操作部に対して黒表示幅を指定する信号を前記リセット操作部に出力することを特徴とする画像表示装置。
【発明の詳細な説明】
【０００１】
【発明の属する技術分野】
本発明は、白色光源の照明光を、透過型もしくは反射型の液晶パネルまたは微小な反射ミラーを備えたパネル等の表示デバイスに照射して画像形成を行う画像表示技術に関し、
特に色順次に光量変調することでカラー画像を再現するフロントタイプやリアタイプの投射型ディスプレイ装置や、テレビジョン等に適用して有用である。
【０００２】
【従来の技術】
従来の投射型の画像表示装置に用いる表示デバイスとして、３管CRT（Cathode-Ray Tube）方式、小寸法の３枚の透過型或いは反射型の液晶パネルを用いる方式、あるいは、微小な反射ミラーを用いた方式（例えばUSP５４４２４１１、USP５２８０２７７、 USP５６６８６１１、USP５６８０１８０、特開平１０-４８５４２号公報に記載されたもの）等が提案されている。
【０００３】
液晶表示装置としては、一般的にネマティック液晶を用いた表示方式が用いられている。ネマティック液晶を用いた液晶表示装置は、CRTによる表示装置に比べ応答が遅いという難点があるが、小寸法の液晶パネルを用いることから、CRT方式の装置に比べて小型・軽量化が達成し易く、且つ、サイズ歪や地磁気に影響されないためコンバーゼンス調整をし易い。更には、液晶の応答速度の向上や、コントラスト改善、除外偏光成分の有効活用等による光利用率の向上化、画素開口率の改善等、高性能化を目指した取り組みも盛んに行われて、動画像表示において気になる尾引現象が改善されたことにより、滑らかな動画像表示が可能となっている。
【０００４】
さらに、NTSC(National Television System Committee)方式のフレーム期間内（約１６．７msec）より十分短い時間で応答するTN(Twisted Nematic )型、強誘電型の液晶デバイスによる提案として、例えば、特開２０００-１９３９３７号公報に記載のTN型液晶デバイスを用いた色順次方式（カラーシーケンシャル方式）の表示パネル構成、並びに駆動方式が提案されている。これによれば、映像フレームを３原色数（RGB）に対応したサブフレーム数で時分割し、且つ、本サブフレーム周期に同期して白色光束成分から３原色成分を交互に取り出し、且つ表示デバイスに照射する分光装置を付加することで、視覚の残像効果を利用したカラー画像再現方式が提案されている。
【０００５】
【発明が解決しようとする課題】
しかしながら、従来の単板表示パネルによる、面順次で表示色(RGB)を切り替えるフィールドシーケンシャル方式のカラー画像再現では、対応色以外の光波長成分は除外される為、理論的に画面輝度は約１/３に減少する。更に、表示色の切り替え期間（遷移期間）にあっては、分光器出力が混色することや、表示パネルの画像表示データ更新時のパネル応答期間は階調再現に適さないことから、画像再現から除外する。従って、白色光源の光利用効率が好ましくなく、再現画像の輝度を確保するには、高速応答タイプのパネルを選択すること、光源の発光量を増大させる必要がある等の課題があった。また、分光器により光波長成分を分離する事から、光波長成分と発色時間比率は画一化されてしまい、色設計の変更には画像信号処理で小範囲変更対応する等、広範囲な変更に適さない等の課題があった。
【０００６】
本発明の目的は、上記従来技術に鑑み、光利用率の向上と、色設計変更自由度向上による高輝度、高色再現性と、低コスト化を実現するフィールドシーケンシャル方式の画像表示装置を提供することにある。
【０００７】
【課題を解決するための手段】
上記した課題を解決するために、本発明は、画像信号に対応した複数の色信号光を表示デバイスから表示部に投射して画像表示を行うライトバルブ方式による画像表示装置において、所望の色信号成分を有する光束の照射方向をそれぞれ切り替える偏向手段と、偏向照射される光強度情報の検出手段と、検出手段による光強度情報に基づいて、上記表示デバイスに偏向照射される光束の色成分情報と表示位置情報を含む制御信号を形成するタイミング生成手段と、上記制御信号に基づき表示対象の画像信号を生成する画像処理手段と、上記制御信号に基づき上記表示デバイスを駆動する駆動手段とを備え、上記表示位置情報に基づいて、上記表示デバイス上の各色信号成分の表示位置を順次シフトさせるように構成する。
【０００８】
上記した課題を解決するために、本発明は、さらに、前記表示デバイスは、所望の色信号成分毎に前記表示デバイス上の異なる領域に異なる画像データが略同時に表示されるように駆動され、前記表示デバイス上の所定の複数の領域を各々同時に初期化して黒表示する構成とする。
【０００９】
上記した課題を解決するために、本発明は、前記表示デバイスは、ライン順次走査で各画素の画像信号を更新するものであって、前記所望の色信号成分の異なる領域はライン単位であるとする。
【００１０】
上記した課題を解決するために、本発明は、さらに、前記表示デバイスは、所望の色信号成分の領域にライン単位で略等分割された構成であって、各領域の先頭ラインからライン順次に走査するように構成する。
【００１１】
【発明の実施の形態】
以下、本発明を添付の図面に従い説明する。
【００１２】
（第１の実施例）
図１は本発明による投射型ディスプレイ装置における画像表示部の実施例を示すブロック図である。図２は本発明による表示デバイスの構成を示すブロック図である。図３、４は各処理部での動作タイミングを示す波形図である。
【００１３】
ここで、本実施例で示す表示デバイスとして、TN型液晶構造をCMOSデバイス上に構成し、印加する電圧値により定まる液晶の傾き量に応じて光の反射量を制御（ライトバルブ方式）することで、階調表現を実現するようにした表示デバイスで、且つ高速な応答特性を有するタイプでかつ、初期値が黒表示（ノーマリーブラック）タイプである場合を説明する。もちろん、透過型液晶構造の表示パネルで構成する場合であっても、光路の差こそあれ、同様に実現できる。
【００１４】
また、液晶駆動方法の原理は特開２０００-１９３９３７号公報に詳細にきさいされている。
【００１５】
また、本実施例では、一枚の表示デバイスを色順次で用い、且つ、視覚残像効果を用いてカラー動画像認識するようにした投射型ディスプレイ装置について示すものである。
【００１６】
更に、画像のフレーム周波数Fvとして例えば６０Hz（T１=約１６.６７msec）（フレーム番号f０、f１、f２、f３…）で且つ、２倍のサブフレーム周波数sf（T２=２x６０Hz=１２０Hz=約８.３３msec）（サブフレーム番号sf０１st、sf０２nd、sf１１st、sf１２nd…）で動作させる場合について示す。
さらに、１サブフレーム内を色順次で区分することから、単色発光割当時間はT３(=２.７８msec)である。
もちろん、フレーム周波数Fvとサブフレーム周波数sfとの比率はこれに限ることなく、動画表示に最適な比率で有れば、何れであっても良い。
【００１７】
また、本実施例では、説明を簡単にするために、ライン順次に表示データ更新を行うようにした表示デバイスとして説明するが、もちろん、表示領域単位で更新するようにした表示デバイスを用いても何ら問題ない。
【００１８】
また、本実施例では、画面垂直方向でかつ上下にライン走査する場合について示すが、もちろんコレに限らず、垂直方向で下から上、或いは、水平方向の左から右、水平方向の右から左、等、いずれであっても本発明を何ら逸脱するものではない。
【００１９】
図１で、１、２、３はそれぞれnビットで表されるRGB画像情報信号Video_r/g/bの入力端子、４は垂直同期信号Vsync、５は水平同期信号Hsyncの入力端子、９はそれぞれ入力画像信号を少なくとも２フレーム分の記憶保持容量を有する第１記憶部、１１はmビットの画像情報信号を表示部に転送する処理単位である少なくとも２ライン分の記憶保持容量を有する第２記憶部、１０、１２は書込・読出領域の指定並びにタイミングを制御する第１、２制御部、１３はnビットで表される画像情報をmビットに変換する階調変換部、６、７、８はそれぞれR/G/B処理用に対応する６〜１４で構成する画像処理部、１４は選択部、１５はタイミング生成部、１６はシーケンス制御部、１７はランプ駆動部、１８はランプ、１９は分光部、２１は偏向部、２０は偏向制御部、２３は偏向部２１からのRGB光束それぞれの光強度情報を検出する検出部、２２は画像表示デバイス、２４は投射レンズ、２５はスクリーン、である。図２で、１００は水平方向の書込画素を選択指示するカラムスキャン部、１０１はD/A変換部、１０２、１０３、１０４はサンプル・ホールド部、１０５、１０６、１０７は書込ラインを選択指示する垂直走査部、１０８、１０９、１１０はそれぞれ複数の画素で構成する表示部、１１１は表示部の初期化ラインを指示するリセット走査部である。
【００２０】
次に、図３、４の波形図を用い、個々の動作について詳細を説明する。
【００２１】
シーケンス制御部１６では、図示しない外部のシステム制御部（μCOM）から、各種動作条件として、サブフレーム周波数の倍速条件１６a、表示フレーム開始基準タイミングに対するサブフレーム開始タイミングの位相差量の指定１６b、並びに、RGB表示ラインの位相差情報１６c、並びに各種画像表示モード情報１６d等を生成出力する。
【００２２】
タイミング生成部１５では、まず、倍速条件１６aに従い、垂直同期信号Vsyncと水平同期信号Hsyncから、画像情報信号video_r/g/bのフレーム開始タイミング１５aと、サブフレーム開始タイミング１５bと、階調変換部１３で用いるサブフレーム毎に定める階調変換条件を指示するモード信号１５cを生成する。また、光強度変化情報２３aをフィードバック情報とする偏向部２１の偏向状態と、位相差情報１６cにより、RGBそれぞれの偏向位置に合わせた画像読出開始基準信号１５dと、選択部１４におけるセグメント選択信号１５eを生成する。従って、サブフレーム開始タイミング１５bに対する画像読出開始基準信号１５dの位相差(td０、td１、td２…)は、必ずしも一定では無く、常に偏向状態に対応するものである。
【００２３】
タイミング生成部１５では更に、光強度変化情報２３aをフィードバック情報として、サブフレーム周期・位相に略一致させるRGB各光束の偏向開始基準制御信号１５gの生成と、後述のACランプ駆動タイミング信号１５fを生成する。また、画像表示デバイス２２に対し、各セグメント１０８〜１１０用にそれぞれ垂直スキャン選択信号s０/s１/s２_vd、黒表示ライン位置を指示する黒化ライン選択信号bk_ln、垂直スキャン用クロックVshf、水平スキャン選択信号Hsel、水平スキャン用クロックHshf、全ラインの同時黒化指示信号rstをそれぞれ出力する。ここで、垂直スキャン選択信号s０/s１/s２_vdは、画像読出開始基準信号１５dに位相差tsで同期するものである。また、黒化ライン選択信号bk_lnは、各種画像表示モード情報１６dにより、各セグメント１０８〜１１０毎に垂直スキャン選択信号s０/s１/s２_vdに対する位相差trk、tgk、tbkを指定するものである。
【００２４】
画像処理部６、７、８は、それぞれR/G/B画像信号処理を行うものであり、上記のように同一な動作である。
【００２５】
本実施例で示すカラーシーケンシャル動作は、画像表示デバイスを１枚用い、表示部の領域をRGB光束用に分け、それぞれの光束を上下偏向するように照射するものである。また、照射された光束の色成分に対応する画像情報で画像表示デバイス３０を駆動し、光束の反射量を制御する場合として説明する。
【００２６】
第１制御部１０は、第１記憶部９の領域を２分割（B０/B１）し、フレーム開始信号１５a毎に書込対象領域を交互に選択するよう書込制御信号W１並びにアドレス１０aを出力する。
【００２７】
図３に示すように、フレーム番号をf０、f１、f２、f３…とした場合、第１記憶部９のB０にはf１、f３を、B１にはf０、f２のフレームデータを記憶制御するものである。
【００２８】
一方、サブフレーム開始タイミング１５bを基準に読出許可信号R１、読出アドレス１０aを生成し、上記書込対象に無い領域（B０/B１）の画像情報を読み出す。この場合、サブフレーム周波数がフレーム周波数の関係から、同一画素の画像情報はフレーム辺り２回読み出す。この場合、表示領域を３分割（T:Top、M:Middle、B:Bottom）することから、画像処理部６、７、８では、それぞれ異なる表示領域のの画像情報信号９a(r)、(g)、(b)を読み出す。
【００２９】
階調変換部１３では、フレーム辺りnビットの画像情報信号９aを２回読み出すことからは表現可能な階調数は２n+１となる。このため、各種画像表示モード情報１６dとモード信号１５cで定めるディザ処理により表現階調数の拡張(m=n)、或いは階調分割による変換(m=n-１)を行い、mビットの画像情報信号１３aを出力する。ここでは示さないが、サブフレーム数の増減と表現階調数の関係は同様にあることは言うまでもない。
【００３０】
第２記憶部では、画像情報信号１３aを少なくとも２ライン分の記憶容量を持ち、タイミング信号１５b、１５dを基準とする違いがあるが、第２制御部１２により、上述した９、１０とほぼ同様に書込・読出制御によりmビットの画像情報信号６a(r_dt)、７a(g_dt)、８a(b_dt)を出力する。ここで、第２記憶部の記憶容量（記憶ライン数）として、偏向部２７の動作精度に応じて増減を行うことで偏向部の動作バラツキを吸収しても良い。
【００３１】
選択部１４は、選択信号１５eに従い、画像情報信号６a(r_dt)、７a(g_dt)、８a(b_dt)を対応するセグメント０/１/２に切り替えて書込画像信号seg０/１/２を出力する。
【００３２】
ランプ１８は、UHPランプ、メタルハライドランプ等の、白色光を得られる高輝度ランプであり、DC・AC駆動タイプ何れであっても良い。制御信号１５fによる制御として、DC駆動タイプで有れば発光輝度制御するものである。AC駆動タイプで有れば、ランプ駆動方向を替えた後のランプ発光量が変化する期間は、同時黒化指示信号rstにより画像表示デバイス２２を黒化して除外する。
【００３３】
ランプ光源の白色光は、分光部１９において所望のRGB光束に分光する。分光したRGB光束はそれぞれ偏向部２１と偏向制御部２０により偏向する。一方、偏向された光束は図示しない集光レンズにより画像表示デバイス２２の表示部上にそれぞれ交差無く、帯状で且つ均一に照射するものである。また、サブフレーム周期毎に偏向動作が繰り返すものである。図３に示す特定のt０、t１時間における画像表示デバイス２２への偏向状態を図８に示す。RGB光束の結像される境界では、完全黒状態で示しているが、後述する手順によれば多少の混色は許容するものである。また、偏向動作は、後述する表示部の書込ラインに同期して偏向位置を移動するものである。
【００３４】
検出部２３は、RGB光のそれぞれの光強度変化情報２３aを検出する。例えば、図８に示すように、表示部１０８〜１１０の偏向開始位置直近に配置した場合、図４に示す出力２３aの波形(概念図)を得るものである。ここで、白色光源の種類によっては、波長成分間での発光成分が不均一である場合には、各色成分間で輝度バラツキが発生するため、光強度変化情報２３aは各色成分間（波高の差）で異なる。ここで、特定波長成分として、例えばG成分のみ抽出して光強度情報２３aを生成する事で、隣接間の漏れ光成分による検出精度劣化を低減する様にしても良い。さらに、表示デバイス上に、フォトセンサ素子を形成することで、周辺部材の低減、高精度且つ、設置位置調整不要化なシステムを構築する様にしても良い。
【００３５】
画像表示デバイス２２は、mビットの画像情報信号の表す階調数に応じて、光の反射量を制御するライトバルブ機能を有する素子を配列した構成である。本実施例では、TN型の液晶デバイスを用いた場合を示すものであり、図２を用い、画像表示デバイス２２の動作を示す。
【００３６】
カラムスキャン部１００では、水平スキャン選択信号Hselを水平スキャン用クロックHshfによりシフトし、ライン方向の書込対象画素を指定する。
【００３７】
同様にセグメント０〜２に対する垂直走査部１０５〜１０７では、垂直スキャン選択信号s０/s１/s２_vdを垂直スキャン用クロックVshfによりシフトし、垂直方向の書込ラインを指定するものである。また、垂直操作部は、セグメント間でライン選択順を同期化することで共有化を図った構成で回路の削減を行っても良い。
【００３８】
更に、リセット走査部１１１では、黒化ライン選択信号bk_lnを垂直スキャン用クロックVshfによりシフトし、黒表示ライン位置を指示するものである。さらに、全ラインの同時黒化指示信号rstによるリセット時、セグメント１０８〜１１０の全ラインに対して黒化ライン選択させるものである。ここで、リセット走査部１１１内のbk_lnのシフト信号は初期化せずに継続動作としても良い。また、上記s０/s１/s２_vdと同時選択したラインは、黒表示を優先する。
【００３９】
一方、mビットの表示画像情報信号seg０/１/２はそれぞれ、D/A変換部１０１で表示階調に対応する電圧値に換算し、それぞれのセグメント用のサンプル・ホールド部１０２〜１０４でサンプル・ホールド並びに上記動作により指定した表示部１０８〜１１０書込対象の画素を駆動（保持容量）する。また、同時に黒表示ライン選択時は画素の保持容量を消去する。これにより、表示部１０８〜１１０に照射された光束の反射量を、画素毎の保持容量で制御する。
【００４０】
上記により反射した光束は、投射レンズ２４により光束を拡大し、スクリーン２５上に投射することでに画像を再現するものである。
【００４１】
図２に示した画像表示デバイス２２上の特定の画素A、B、Cでの上記動作の一例を図３、４に示す。本実施例では、サブフレーム内でのRGB色発生の割当時間は等分T３で、色遷移時の黒表示時間をそれぞれtrk、tgk、tbkとした場合を示す。
【００４２】
また、各セグメントでの黒表示時間関係として、タイプ１のtrk=tgk=tbk並びにタイプ２のtrk≠tgk≠tbkとした場合の２種を示す。
【００４３】
各画素に照射される光強度２１a、b、cの変化に合わせて上記手順で画像表示信号を設定する。偏向光束成分の遷移期間では、画像表示デバイス２２を黒表示することで混色を避ける。また、タイプ１のtrk=tgk=tbkによる等間隔（図８に状態を示す）或いはタイプ２のtrk≠tgk≠tbkによる不等間隔（図９に状態を示す）を実現するものである。これにより、画像表示デバイス２２上に照射される光束の輝度が一定である場合、黒表示間隔を調整することで画像再現に利用する光束量の調整を実現するものである。
（本実施例による効果）
以上示した本発明に基づく本実施例によれば、画像表示デバイスを色成分毎に用意する必要が無いことから、部品使用数の低減による低コスト化、並びに装置の小型化が容易である。
【００４４】
また、サブフレーム周期内の色サブフレーム周期内（本実施例では２×sf=約２.７m秒）で１画面分の画素データ更新が完了すればよいことから、ライン順次で画素データ更新を行う様にしたTN型液晶デバイスの駆動方式を採用することが可能である。
【００４５】
また、TN型液晶デバイスであっても、さらに液晶応答性能の改善により、光利用効率の向上、すなわち再現画像の高輝度化が可能となる。また、デバイスの特性改善に加え、適度な高温下での高速応答特性を積極的に活用することで、更なる光利用効率の改善、並びに全階調間での液晶応答バランスの均一化による再現画像の高画質化を実現できる。
【００４６】
また、画像表示デバイスの高速応答化によれば、本実施例で示したサブフレーム周波数に限らず、更なる高速化が可能である。
【００４７】
また、本実施例で示した、黒化ライン選択方式によれば、画素の階調情報の変換処理せずに、各色個別に黒表示時間の増減を制御することだけで、色再現範囲を自由に調整することが可能である。これにより、入力画像の絵柄種に応じて最適な色再現範囲を設定することで、より忠実な色再現性を可能とするものである。
【００４８】
また、偏向部の動作ムラに応じて、表示画像の読出並びに画像表示デバイスを駆動する事により、色再現の高精度化が可能となる。
【００４９】
本実施例によれば、寿命性能或いは発光効率が優れるACランプの採用が可能となる。更に、ACランプによる全面黒表示の間欠動作によれば、サブフィールド順次による色再現によるフレーム間への影響を少なくでき、疑似輪郭発生の抑制効果が得られる。
（その他の構成）
本実施例では、書込画素の選択方法として、シフトレジスタ構成で実現する場合について示したが、もちろんこれに限らず、書込対象ラインのアドレシングを実現する別の手段であっても、本発明に何ら逸脱することは無い。例えば、パネルに選択ラインアドレスを供給し、内部でアドレスデコーダを内蔵することでアドレシングを実現するようにしても良い。
【００５０】
また、画像表示デバイス２２上の光束が重ならない様に偏向することで、黒ライン選択を不要せしめるようにしても良い。これにより、各種処理の削減による電力消費、輻射ノイズの低減効果を実現するものである。さらに、TN型液晶の黒応答時間を削減した分、画像信号更新時間を低減することが可能となる。
【００５１】
本実施例では、RGB各光束を同時に照射する場合について示したが、もちろんこれに限らず、シアン／マゼンタ／イエロー等の光束成分を加えて構成するようにしても何ら問題ない。さらに、光束の垂直方向の帯幅をそれぞれ１面分とし、色順次で交互に偏向するように構成しても、本発明に逸脱するものではなく、これによれば、画像表示デバイス２２の構成を簡略化が可能である。
（第２の実施例）
図５、６、７を用い本第２の実施例を説明する。また、第１の実施例で説明した同一符号の部位については、ほぼ同様な機能であることから、説明の重複を避ける。
【００５２】
図５において、  は図６に示す構成の画像表示デバイス、３４は第５タイミング生成部、図６で、RGBそれぞれmビットの表示画像情報r_dt/g_dt/b_dtを入力する、１２４、１２５、１２６はサンプル・ホールド部、１２１、１２２、１２３は垂直走査部、１２０は複数の画素で構成する表示部である。
【００５３】
本構成による各部位の動作を図７の波形図を用いて詳細を説明する。
【００５４】
タイミング生成部２７では、第１の実施例で示したタイミング生成部１５とほぼ同様であるが、垂直スキャン信号s０/s１/s２_vdに替わり、垂直スキャン信号r_vd/g_vd/b_vdを生成する。
【００５５】
画像表示デバイス２６は、図６に示す構成である。第１の実施例に対し、１面構成とする画素エリア１２０の違いがある。また、各サンプル・ホールド部１２４〜１２６はそれぞれRGB信号に対する電圧を一旦保持し、且つ書込対象としてアドレシングされた画素を駆動する。また、それぞれのサンプル・ホールド部１２４〜１２６は画素エリア１２０の全画素それぞれ独立に駆動するようにアドレス線、データ線を配置する構造である。垂直走査部１２１、１２２、１２３は、それぞれRGB信号の書込ラインを指定する垂直スキャン信号r_vd/g_vd/b_vdを入力し、且つVshfクロックでシフトするものであり、全ラインに対しRGBそれぞれ独立にアドレシングするものである。
【００５６】
本構成による動作として、図６に示す画素エリアの特定画素A、B、Cでの動作を例に挙げ、図７の波形図、図１０を用いて説明する。
【００５７】
タイミング制御部２７と偏向部２１及び偏向制御部２０により、RGB各光束の照射時間tr、tg、tbがtr+tg+tb≦T２を満足するように定め、画像表示デバイス２６上を上下に偏向照射２１a、b、cする。また、RGB各光束が、それぞれ画像表示デバイス２６上部に到達する時間に同期して、垂直スキャン信号r_vd/g_vd/b_vdの開始パルスを生成する。一方、黒化ライン選択信号bk_lnは、垂直スキャン信号r_vd/g_vd/b_vdの開始パルスに黒表示時間tk分だけ進相するよう選択パルスを生成する。
【００５８】
これによれば、tr≠tg≠tbと設定することで、図１０に示すように各RGB光束の垂直方向帯幅を不均等とし、或いはtr＝tg＝tbと設定することで、同均等とするものである。また、各色遷移期間は黒表示ライン指定tkするものである。もちろんRGBそれぞれ等間隔、不等間隔何れであっても良い。
（第２の実施例による効果）
本発明に基づく本実施例によれば、画像表示デバイス２６のRGB表示対象領域の自在設定が可能となる。これにより、偏向部２１による垂直方向の帯幅がRGB光束間での不均一化を実現できる。更に、偏向部２１においてRGB光束の垂直方向の帯幅をそれぞれ適応的に設定させることで、且つ、単位面積あたりの光照射量が同じであれば、入力画像の絵柄種に応じて最適な色再現範囲を設定することで、より忠実な色再現性を可能とするものである。
【００５９】
さらに、色再現範囲変更時、黒ライン数の増減を最小限とすることで、画像再現に用いる光利用効率劣化を防止できる。
（第３の実施例）
図１１を用い本第３の実施例を説明する。本実施例は第２の実施例に対し検出部２３を削除した構成である。ただし、偏向部は、画像表示デバイス２６の偏向方向ライン単位以下の動作精度であり、偏向位置を精度良く推定するものである。
（第３の実施例による効果）
本構成によれば、検出部２３を用いずとも偏向位置を精度良く推定可能であることから、検出部２３の削減並びに画像処理部６、７、８での読出位置補正処理の低減が可能となり、回路構成を簡略化できる。
【００６０】
【発明の効果】
本発明によれば、サブフレーム期間内で十分応答する高速応答タイプのライトバルブを画像表示デバイスとして用いる表示方法により、ライトバルブの応答状態に合わせた光束照射と、画像再現が可能となる。これにより、３原色光を常時画像再現に利用可能となり、光利用効率向上による輝度向上が達成できる。
【００６１】
さらに、３原色光の時間配分の設定容易性から、入力画像種に適した色再現が可能となる。これにより、パネル枚数・光学部品の低減等による装置の低コスト・小型化のみならず高画質・高色再現化を達成できる。
【図面の簡単な説明】
【図１】本発明による第１の実施例の画像表示装置を示すブロック図である。
【図２】第１の実施例に用いる表示パネル構成を示すブロック図である。
【図３】第１の実施例の処理動作を補足する波形図である。
【図４】第１の実施例の光学応答と画像表示パネル動作を補足する波形図である。
【図５】本発明による第２の実施例の画像表示装置を示すブロック図である。
【図６】第２の実施例に用いる表示パネル構成を示すブロック図である。
【図７】第２の実施例の光学応答と画像表示パネル動作を補足する波形図である。
【図８】第１の実施例の表示領域と光束利用域の関係を示す１の概念図である。
【図９】第１の実施例の表示領域と光束利用域の関係を示す２の概念図である。
【図１０】第２の実施例の表示領域と光束利用域の関係を示す２の概念図である。
【図１１】本発明による第３の実施例の画像表示装置を示すブロック図である。
【符号の説明】
１,２,３,４,５…入力端子、６,１１…第１,２記憶部、１０,１２…第１,２制御部、１３…階調変換部、６,７,８…９〜１３で構成する画像処理部、１４…選択部、１５,２７…タイミング生成部、１６…シーケンス制御部、１７…ランプ駆動部、１８…ランプ、１９…分光部、２０…偏向制御部、２１…偏向部、２２,２６…画像表示デバイス、２３…検出部、２４…投射レンズ、２５…スクリーン、１００…カラムスキャン部、１０１…D/A変換部、１０２,１０３,１０４,１１２,１１３,１１４…サンプル・ホールド部、１０５,１０６,１０７,１２１,１２２,１２３…垂直走査部、１０８,１０９,１１０,１２０…表示部、１１１…リセット走査部。
【図１】
0003937758.tif 000002
【図２】
0003937758.tif 000003
【図３】
0003937758.tif 000004
【図４】
0003937758.tif 000005
【図５】
0003937758.tif 000006
【図６】
0003937758.tif 000007
【図７】
0003937758.tif 000008
【図８】
0003937758.tif 000009
【図９】
0003937758.tif 000010
【図１０】
0003937758.tif 000011
【図１１】
0003937758.tif 000012